(57)【要約】【課題】左右のウエストバンド部を着用者の胴回りに止着する際に、着用者の腹側又は背側の幅方向中心位置とおむつの幅方向中心位置とを容易に一致させることのできる使い捨ておむつを提供すること。【解決手段】左右のウエストバンド部１０の何れかにバンド止着部が設けられていると共に、腹側部Ｂにおむつ止着部が設けられており、バンド止着部により、左右のウエストバンド部を着用者の腹側又は背側において止着し、おむつ止着部により、腹側部Ｂをウエストバンド部１０に止着して着用するようになしてある展開型の使い捨ておむつであって、左右のウエストバンド部１０ａ，１０ｂのそれぞれに、各ウエストバンド部の長手方向に沿って目盛り４０が設けられている。【選択図】    図２
2004305600.tif 000002
【特許請求の範囲】
【請求項１】
長手方向の一方の部位における両側部にそれぞれウエストバンド部を有し、左右の該ウエストバンド部の少なくとも何れか一方における先端部にバンド止着部が設けられていると共に、長手方向の他方の部位に、おむつ止着部が設けられており、前記バンド止着部により、左右の前記ウエストバンド部を着用者の腹側又は背側において止着した後、前記おむつ止着部により、前記他方の部位を、前記ウエストバンド部又はその隣接部位に止着して着用することができるようになしてある展開型の使い捨ておむつであって、
左右の前記ウエストバンド部それぞれに、各ウエストバンド部の長手方向に沿って目盛りが設けられている使い捨ておむつ。
【請求項２】
前記目盛りは、前記各ウエストバンド部の長手方向に間欠的に配置された複数の目盛り線等の目盛り要素からなり、各ウエストバンド部における複数の目盛り要素と該ウエストバンド部の基端部の位置との間の距離が、それぞれ、左右のウエストバンド部で実質的に同じである請求項１記載の使い捨ておむつ。
【請求項３】
左右の前記ウエストバンド部の前記目盛りは、おむつ長手方向中央線に対して左右対称に設けられている請求項１又は２記載の使い捨ておむつ。
【請求項４】
前記使い捨ておむつの長手方向の中央部に、前記他方の部位を引き出すときの引き出し量を判断する際の目安にできる目安線が設けられる請求項１〜３の何れか記載の使い捨ておむつ。
【請求項５】
長手方向の一方の部位における両側部にそれぞれウエストバンド部を有し、左右の該ウエストバンド部の少なくとも何れか一方における先端部にバンド止着部が設けられていると共に、長手方向の他方の部位に、おむつ止着部が設けられており、前記バンド止着部により、左右の前記ウエストバンド部を着用者の腹側又は背側において止着した後、前記おむつ止着部により、前記他方の部位を、前記ウエストバンド部又はその隣接部位に止着して着用するようになしてある展開型の使い捨ておむつであって、
左右の前記ウエストバンド部の一方又は両方に、相互間の位置合わせに用いることのできる目盛りが設けられている使い捨ておむつ。
【請求項６】
おむつ装着の際に、前記目盛りを有するウエストバンド部に重ねて配置されるウエストバンド部が、該目盛りを透視可能な領域を有している使い捨ておむつ。
【発明の詳細な説明】
【０００１】
【発明の属する技術分野】
本発明は、最適な装着状態に容易に装着することのできる使い捨ておむつに関する。
【０００２】
【従来の技術及び発明が解決しようとする課題】
従来、展開型の使い捨ておむつとして、液透過性の表面シート、液不透過性の裏面シート、及びこれら両シート間に介在する液保持性の吸収体を具備し、使用時に着用者の腹側に位置する腹側部及び背側に位置する背側部を有するおむつが広く用いられており、展開型の使い捨ておむつの中でも大人が立ったまま装着可能なものとして、上記背側部の左右両側縁にそれぞれウェストバンド部が連設され、左右の該ウェストバンド部の少なくとも何れか一方における先端部にバンド止着部が設けられていると共に上記腹側部の両側部におむつ止着部が設けられており、前記バンド止着部により、左右の該ウエストバンド部を着用者の腹側において止着した後、前記おむつ止着部により、前記腹側部を前記ウエストバンド部に止着して着用するようになしてあるものが知られている（特許文献１，２参照）。
【０００３】
このようなウエストバンド部を有する使い捨ておむつは、着用者が立位で自分で装着することができるという利点を有するものである。
しかし、介護施設等の介護の現場等においては、被介護者、特に自分で装着できない老人等に対して介護者が装着する場合があり、介護者等が、立った状態の被介護者に対して装着する場合には、着用者の背側の幅方向の中心位置とおむつ幅方向の中心位置とが一致しない等、おむつを最適な状態に装着できない場合があった。
【０００４】
特許文献３には、おむつ背側部に、着用者の背中が配置されるべき装着位置を示す目印を設けた使い捨ておむつが記載されている。
この目印は、従来汎用されているタイプの展開型おむつ、即ち背側部に設けた止着テープを腹側部の外面に設けたターゲットテープに止着して装着するテープ止めタイプのおむつであれば、寝た状態の被介護者の片側を持ち上げ、被介護者の背中とおむつの内面とを見ながら装着できるので、おむつを適正な位置に装着する際の目安にできる。
しかし、上述したウエストバンドタイプのおむつは、被介護者が立った状態で装着することが多いために、そのような目印を設けたとしても、被介護者の身体に遮られてしまうため、おむつを適正な位置に装着する際の目安にできない。
【０００５】
【特許文献１】
特開平１０−５２７８号公報
【特許文献２】
特開平９−２８５４８９号公報
【特許文献３】
実開平４−８３３２０号公報
【０００６】
従って、本発明の目的は、左右のウエストバンド部を着用者の胴回りに止着する際に、着用者の腹側又は背側の幅方向中心位置とおむつの幅方向中心位置とを容易に一致させることのできる使い捨ておむつを提供することにある（以下、第１の目的という場合がある）。
また、本発明の目的は、左右のウエストバンド部を着用者の胴回りに止着する際に、適切な締め付け力が得られるように容易に止着することのできる使い捨ておむつを提供することなる（以下、第２の目的という場合がある）。
【０００７】
【課題を解決するための手段】
本発明は、長手方向の一方の部位における両側部にそれぞれウエストバンド部を有し、左右の該ウエストバンド部の少なくとも何れか一方における先端部にバンド止着部が設けられていると共に、長手方向の他方の部位に、おむつ止着部が設けられており、前記バンド止着部により、左右の前記ウエストバンド部を着用者の腹側又は背側において止着した後、前記おむつ止着部により、前記他方の部位を、前記ウエストバンド部又はその隣接部位に止着して着用することができるようになしてある展開型の使い捨ておむつであって、左右の前記ウエストバンド部それぞれに、各ウエストバンド部の長手方向に沿って目盛りが設けられている使い捨ておむつを提供することにより、前記第１及び第２の目的を達成したものである（以下、第１発明というときは、この発明をいう）。
【０００８】
また、本発明は、長手方向の一方の部位における両側部にそれぞれウエストバンド部を有し、左右の該ウエストバンド部の少なくとも何れか一方における先端部にバンド止着部が設けられていると共に、長手方向の他方の部位に、おむつ止着部が設けられており、前記バンド止着部により、左右の前記ウエストバンド部を着用者の腹側又は背側において止着した後、前記おむつ止着部により、前記他方の部位を、前記ウエストバンド部又はその隣接部位に止着して着用するようになしてある展開型の使い捨ておむつであって、左右の前記ウエストバンド部の一方又は両方に、相互間の位置合わせに用いることのできる目盛りが設けられている使い捨ておむつを提供することにより前記第１の目的を達成したものである（以下、第２発明というときは、この発明をいう）。
【０００９】
【発明の実施の形態】
以下、本発明をその好ましい実施形態に基づき図面を参照しながら説明する。
本発明（第１，２発明）の一実施形態としての使い捨ておむつ１は、立ったままでも装着可能な成人用のおむつであり、図１に示されるように、液透過性の表面シート２、液不透過性の裏面シート３、及びこれら両シート２，３間に介在する液保持性の吸収体４を有しており、実質的に縦長に形成されている。実質的に縦長とは、ウエストバンド部を除く部分が縦長であれば良い。おむつの長手方向とは、ウエストバンド部を除く部分の長手方向と同方向である。
【００１０】
吸収体４は、表面シート２及び裏面シート３により挟持・固定されており、吸収体４の周縁部におけるウエスト部５とレッグ部６には、おむつ着用者に各部位をフィットさせるためのウエスト部弾性部材５１及びレッグ弾性部材６１が配設されている。
また、使い捨ておむつ１の長手方向左右両側には、それぞれ立体ガード７が形成されている。立体ガード７の自由端には立体ガード弾性部材７１が配されて、ギャザーが形成されている。
【００１１】
表面シート２は、吸収体４の全幅よりやや幅広の矩形状をなし、砂時計状に形成された裏面シート３の幅方向中央部上に配されている。裏面シート３における表面シート２の左右両側縁より外方に延出する部分は、立体ガード７形成用のシート材７２に被覆されている。
表面シート２、裏面シート３、吸収体４及び立体ガード７形成用のシート材７２は、おむつ本体部分８を構成している。
【００１２】
使い捨ておむつ１は、その長手方向の一方の部位（左右にウエストバンド部を有する側の部位，以下、便宜的に背側部という）Ａの両側部に、それぞれウェストバンド部１０，１０を有しており、左右のウェストバンド部１０，１０の少なくとも何れか一方における先端部には、バンド止着部１１が設けられている。また、長手方向の他方の部位（以下、便宜的に腹側部という）Ｂにおける両側部のフラップ部２０には、各々２つのおむつ止着部２１がおむつ長手方向に離間させて設けられている。
おむつの長手方向の一方の部位及び他方の部位は、概ね、おむつ長手方向の端縁それぞれからおむつ全長の１／３位迄の領域であり、こららの間の領域が股下部Ｃである。
ウエストバンド部１０は、背側部Ａにおいて、股下部Ｃの最小幅部分のおむつ両側縁の位置よりもおむつ幅方向の左右外方に存在する部分である。
【００１３】
本実施形態のおむつ１における各ウェストバンド部１０は、ウエストバンド部形成用のシート材１０Ａを、背側部Ａの本体部分８における、裏面シート３及び前記シート材７２からなる左右両側縁部に、接着剤、ヒートシール、超音波シール等の公知の接合方法により接合して形成されている（図１，図２参照）。
ウエストバンド部１０は、少なくともその一部におむつ幅方向に伸縮する弾性伸縮部を有することが好ましく、少なくとも基端部側に弾性伸縮部を有することが特に好ましい。そのような形態としては、ウエストバンド部の基端近傍に細幅の弾性伸縮部を形成した形態、ウエストバンド部の延出方向の中央より基端側の半分を弾性伸縮部とした形態、ウエストバンド部の全体を弾性伸縮部とした形態等が挙げられる。
弾性伸縮部を有するウエストバンド部１０は、例えば前記ウエストバンド部形成用のシート材１０Ａとして、弾性伸縮部を構成する伸縮性シート及び弾性伸縮性を有しない領域を構成する非伸縮性シートが連結された構成の複合シートを用いることにより形成することができる。
【００１４】
弾性伸縮部を構成する伸縮性シートとしては、例えば、エラストマー材料からなるシートの片面又は両面に、おむつ幅方向に伸張可能な繊維集合体を積層して一体化してなる積層シートを用いることができる。
エラストマー材料としては、天然ゴム、ブタジエン、イソプレン等の合成ゴム等が好ましく用いられる。エラストマー材料からなるシートとしては、エラストマー材料をフィルム化して得られる弾性フィルム、エラストマー材料からなる弾性繊維を、ネット状に成形したり不織布化したシート等が好ましく用いられる。
おむつ幅方向に伸張可能な繊維集合体としては、スリットの形成等の２次的な加工を施さなくてもそれ自体伸張性を有する不織布、例えばスパンデックスからなる不織布等や、それ自体は伸張性を有しないものにスリットの形成等の２次的な加工により伸張性を付与したもの等を用いることができる。
【００１５】
ウエストバンド部１０は、少なくとも裏面シート側の面が、機械的ファスナーの凸部材が直接係合可能な材料からなることが好ましい。
バンド止着部１１及びおむつ止着部２１，２１は、その表面に多数の錨形や鉤形のオス型係合部材が配された機械的ファスナーの凸部材により形成されていることが好ましく、機械的ファスナーの凸部材としては、例えば「マジックテープ（登録商標）」（クラレ社製）、「クイックロン（登録商標）」（ＹＫＫ社製）、「マジクロス（登録商標）」（カネボウベルタッチ社製）等の市販品を用いることができる。
【００１６】
本実施形態のおむつ１における両ウエストバンド部１０には、図２及び図３に示すように、それぞれ、非肌当接面側の面（裏面シート３側の面）に、各ウエストバンド部１０の長手方向に沿って目盛り４０が設けられている。
各ウエストバンド部１０における目盛り４０は、各ウエストバンド部の長手方向に間欠的に配置された複数の目盛り要素を有してなる。目盛り要素とは、典型的には目盛り線であるが、目盛り線以外の文字、図形又は記号等であっても良い。目盛り線以外の具体例を示せば、ひらがな（あいうえ・・等）、片仮名（イロハニ・・等）、ローマ数字等の文字、三角形等の図形、動物や車等の絵柄等が挙げられる。目盛り４０は、色の異なる複数の着色領域からなるものであっても良い。
目盛り４０を構成する目盛り要素は、互いに重ね合わせるべき目盛り要素の一組が、他の要素と区別できるようになされていることが好ましく、その具体的方法としては、目盛り要素としての文字（数字を含む）を組毎に異ならせたり、目盛り要素としての目盛り線に組毎に異なる文字（数字を含む）を付記したり、目盛り要素としての目盛り線の色を組毎に異ならせたりする方法が挙げられる。
本実施形態における目盛り要素は、おむつの長手方向に延びる目盛り線であり、各目盛り線には丸付き数字▲１▼〜▲４▼が付されている。
【００１７】
本実施形態においては各ウエストバンド部に４本の目盛り線が設けられているが、各目盛り線▲１▼〜▲４▼とウエストバンド部の基端部の位置Ｐとの間の距離は、それぞれ、左右のウエストバンド部で実質的に同じである。即ち、一方のウエストバンド部１０ａにおける目盛り線▲１▼と基端部の位置Ｐとの間の距離Ｌは、他方のウエストバンド部１０ｂにおける目盛り線▲１▼と基端部の位置Ｐとの間の距離Ｌと実質的に同じであり、他の目盛り線▲２▼〜▲４▼についても同様である。
ここで、実質的に同じであるとは、完全に同じである場合の他、着用者の腹側又は背側の幅方向中心位置とおむつの幅方向中心位置とを容易に一致させることができる効果が得られる限りにおいて多少のズレがあっても良いことを意味する。
このような関係の成立する目盛り要素は、左右に少なくとも２つづつ設けることが、上述した第１及び第２目的を達成する観点から好ましい。尚、このような関係は、左右に複数設けた目盛り要素の全部について成立することが好ましいが、一部の目盛り要素についてのみ成立する形態とすることもできる。
【００１８】
各ウエストバンド部における目盛り要素の数（図示例では４本）は、２〜２０、特に２〜１０、とりわけ３〜５程度であることが好ましい。
【００１９】
本実施形態のおむつ１においては、左右のウエストバンド部の前記目盛り４０が、おむつ長手方向中央線ＣＬに対して左右対称に設けられている。これにより、着用者の腹側又は背側の幅方向中心位置とおむつの幅方向中心位置との位置合わせが一層容易となる。
本実施形態の目盛り線（目盛り要素）は、ウエストバンド部形成用のシート材１０Ａに印刷を施して設けられているが、印刷に代えて、刺繍、着色した接着剤の使用、別材の接着等、他の方法を用いることもできる。
【００２０】
尚、表面シート２、裏面シート３、吸収体４及び立体ガード７等の構成材料としては、使い捨ておむつに従来用いられている各種公知のものを特に制限なく用いることができる。
【００２１】
以下、本実施形態のおむつ１の好ましい使用方法について説明する。
本実施形態のおむつ１は、左右のウエストバンド部を、着用者の腹側において止着して装着する方法（以下、腹側装着ともいう）及び着用者の背側において止着して装着する方法（以下、背側装着ともいう）の何れの方法でも装着することができ、何れの場合においても本発明の効果が奏されるが、背側装着する場合を例にして説明する。
【００２２】
使い捨ておむつ１を装着するには、先ず、図３に示すように、着用者３０の腹側に背側部Ａを当接させ、両ウエストバンド部１０ａ，１０ｂを着用者３０の背側にもってくる。そして、一方のウエストバンド部１０ａを、他方のウエストバンド部１０ｂに重ねるようにして、一方のウエストパンド部１０ａの先端部に設けられたバンド止着部１１を、他方のウエストバンド部１０ｂの裏面シート側に係合止着する。
【００２３】
この際、過去の経験等から知得した着用者毎の適切な目盛り線▲１▼〜▲４▼を選択して、同じ目盛り線同士が重なるように止着することにより、着用者の腹側の状態が見えない場合等であっても、ウエストバンド部を、適切な締め付け力が得られるように止着することができる。
尚、適切な目盛り線の選択は、おむつ交換の前後でおむつの種類やサイズを異ならせない場合には、交換前のおむつにおけるのと同じ目盛りを選択すれば良く、また、類似体型の他の着用者等から予想等して選択することもできる。
【００２４】
次いで、両ウエストバンド部における、同じ目盛り線同士を重ねた位置（図３中においては目盛り線▲２▼の位置）を、着用者の背骨のライン３１や臀裂のライン３２に合わせる。
そして、図４に示すように、腹側部Ｂを、着用者３０の股下を通して腹側から背側に引き出し、その引き出した腹側部Ｂを、互いに連結された状態の両ウエストバンド部１０，１０に係合止着する。このようにして、おむつの装着が完了する。
【００２５】
本実施形態のおむつ１によれば、左右のウエストバンド部を着用者の胴回りに止着する際に、同じ目盛り線同士を重ねた位置を、着用者の背側幅方向中央のライン３１，３２に合わせるだけで、着用者の腹側の幅方向中心位置とおむつの幅方向中心位置とが自然に一致する。
その結果、左右のウエストバンド部を着用者の胴回りに止着した状態において、腹側部Ｂは、着用者の前後方向及びそれに直交する左右方向の何れの方向においても、介護者等の手の届きやすい場所に位置する。
そのため、腹側部Ｂを、着用者の背中側にスムーズに引き出すことができ、背側装着の方法においても、おむつの装着を極めて容易に行うことができる。
尚、腹側装着の方法でも同様の効果が得られる。腹側装着の場合には、両ウエストバンド部における同じ目盛り線同士を重ねた位置を、着用者の臍の位置等に合わせれば良い。
【００２６】
本実施形態のおむつ１においては、図２に示すように、おむつの長手方向の中央部に、より具体的には、おむつ全長を２等分する位置に、おむつ幅方向に亘って直線状の目安線４１が設けられており、前記背側部Ｂの引き出すときの引き出し量を判断する際の目安にできる目安線４１が設けられている。この目安線４１は、左右のウエストバンド部を着用者の胴回りに止着した状態において、腹側部Ｂを着用者の腹側から背側に引き出すとき又は腹側部Ｂを背側から腹側に引き出すときの引き出し量を判断する際の目安とすることができる。このような目安線４１を設けることにより、引き出し量に過不足が生じることに起因して、装着操作が困難になったり、装着操作の全体又は一部のやり直しが必要になったりする等の不都合の発生を防止することができる。
【００２７】
次に、第２発明の一実施形態としての使い捨ておむつ１’について説明する。
使い捨ておむつ１’については、上述したおむつ１と相違する点についてのみ説明し、同様の構成については、説明を省略する。特に説明しない点については、上述したおむつ１と同様であり、上述した説明が適宜適用される。
【００２８】
本実施形態の使い捨ておむつ１’においては、図５に示すように、一方のウエストバンド部１０ｂのみに、おむつ１におけるのと同様の目盛り４０が設けられており、その上に重ねるように止着される他方のウエストバンド部１０ｂには目盛りが設けられていない。また、そのウエストバンド部１０ｂは、光透過率が高いシート材を、ウエストバンド部形成用のシート材として用いて形成されている。
【００２９】
使い捨ておむつ１’を装着する場合にも、上述したおむつ１と同様に、一方のウエストバンド部１０ａを、他方のウエストバンド部１０ｂに重ねるようにして、両ウエストバンド部を着用者の胴回りに止着するが、その際、一方のウエストバンド部１０ａにおけるバンド止着部１１あるいはバンド部１０ａの先端部等を、他方のウエストバンド部１０ｂ上の複数の目盛り線▲１▼〜▲４▼から選択される適切な目盛り線の位置に合わせて止着する。このようにして、両ウエストバンド部１０ａ，１９ｂを着用者の胴回りに止着することで、着用者の腹側の状態が見えない場合等であっても、ウエストバンド部を、適切な締め付け力が常に得られるように止着することができる。
【００３０】
更に、使い捨ておむつ１’においては、目盛り４０を有する前記ウエストバンド部１０ｂに重ねて配置されるウエストバンド部１０ａが、光透過率の高いシート材を用いて形成されており、その全体が目盛り４０を透視可能な領域となっている。これにより、ウエストバンド部１０ａを、他方のウエストバンド部１０ｂの目盛りの適切な位置に合わせて止着することが容易である。尚、目盛りを透視可能とは、該目盛りにウエストバンド部を重ねた状態で該目盛りが該バンド上から見えることを意味し、例えば透明の材料の他、光透過率の高いシート材を用いることによって透視可能な領域を形成することができる。光透過率の高いシート材としては、ポリオレフィン系フィルム等を用いることができる。
【００３１】
本発明（第１，第２発明）の使い捨ておむつは、上述した各実施形態に制限されず、各発明の趣旨を逸脱しない範囲で種々変更が可能である。
例えば、上記実施形態のおむつ１、１’における、ウエスト部弾性伸縮部材５１、レッグ弾性伸縮部材６１及び立体ガード７は、それぞれ一部又は全部を省略することができる。
【００３２】
また、上記実施形態のおむつ１、１’における、一方又は両方のウエストバンド部における目盛り４０は、ウエストバンド部のおむつ長手方向の全幅に亘るように設けるのに代えて、例えば図６（ａ）に示すようにウエストバンド部の上縁部側のみに設けることもでき、図６（ｂ）に示すようにウエストバンド部の下縁部側のみに設けることもでき、ウエストバンド部の上縁部と下縁部との間に中央領域のみに設けることもできる。更に、一方のウエストバンド部については上縁部に設け、他方のウエストバンド部については下縁部に設けることもできる。
また、目盛り４０を構成する目盛り線は、ウエストバンド部の上縁部に対して直交するものに限られず、図６（ｃ）に示す例のように、ウエストバンド部の上縁部に対して傾斜するものであっても良い。
また、おむつ長手方向中央部の目安線４１は、裏面シート３に印刷するのに代えて、立体ガード形成用のシート材７２、表面シート２等に印刷しても良く、更に印刷に代えて、刺繍、着色した接着剤の使用、別材の接着等、他の方法により設けることもできる
【００３３】
また、おむつ止着部２１は、背側部におけるおむつ本体部分（ウエストバンド部を除く部分）の、ウエストバンド部の隣接部位に止着されるように設計されていても良く、あるいは、胴囲が特に小さい場合等、特定の着用者に装着する場合に限って、ウエストバンド部の隣接部位に止着されるようなものであっても良い。
【００３４】
上述した一の実施形態における説明省略部分及び一の実施形態のみが有する要件は、それぞれ他の実施形態に適宜適用することができ、また、各実施形態における要件は、適宜、実施形態間で相互に置換可能である。
【００３５】
【発明の効果】
第１発明の使い捨ておむつによれば、左右のウエストバンド部を着用者の胴回りに止着する際に、着用者の腹側又は背側の幅方向中心位置とおむつの幅方向中心位置とを容易に一致させることができると共に、適切な締め付け力が得られるように容易に止着することができ、おむつを最適な装着状態に容易に装着することのできる。
第２発明の使い捨ておむつによれば、左右のウエストバンド部を着用者の胴回りに止着する際に、適切な締め付け力が得られるように容易に止着することができ、おむつを最適な装着状態に容易に装着することのできる。
【図面の簡単な説明】
【図１】図１は、第１，第２発明の一実施形態としての使い捨ておむつを平面状に拡げた状態を示す平面図である。
【図２】図２は、図１の使い捨ておむつを裏面シート側から見た状態を示す図である。
【図３】図３は、図１の使い捨ておむつを装着する途中の状態を着用者の背側から見た状態を示す図である。
【図４】図４は、図１の使い捨ておむつを装着する途中の状態を着用者の側方から見た状態を示す図である。
【図５】図５は、第２発明の一実施形態としての使い捨ておむつを示す図で、図３に相当する斜視図である。
【図６】図６は、本発明の他の実施形態を示す図で、（ａ）はウエストバンド部の上縁部に目盛りを設けたもの、（ｂ）はウエストバンド部の下縁部に目盛りを設けたものを示す図である。
【符号の説明】
１  使い捨ておむつ
２  表面シート
３  裏面シート
４  吸収体
１０  ウエストバンド部
１１  バンド止着部
２１  おむつ止着部
３０  着用者
４０  目盛り
Ａ  背側部（長手方向の一方の部位）
Ｂ  腹側部（長手方向の他方の部位）
【図１】
2004305600.tif 000003
【図２】
2004305600.tif 000004
【図３】
2004305600.tif 000005
【図４】
2004305600.tif 000006
【図５】
2004305600.tif 000007
【図６】
2004305600.tif 000008